(57)【要約】【課題】長尺な帯状の記録媒体に形成された最後の画像の後の画像未形成部分を有効活用しつつ当該画像未形成部分に形成する画像情報を予め格納する煩雑さを解消した画像形成装置及びプログラムを提供する。【解決手段】連続用紙Ｐを画像を形成する分だけ搬送しつつ連続用紙Ｐに対して印刷画像情報に基づいて画像形成部１２により形成された最後の画像の格納部への排出指示を操作パネル６０で受付られた際に連続用紙Ｐの最後の画像の後に続けて形成する画像を示す排出指示時印刷画像情報を外部装置から受信又は装置内部で生成し、操作パネル６０で排出指示が受付られた場合、搬送経路５０の長さ分少なくとも連続用紙Ｐを搬送しつつ連続用紙Ｐに排出指示時印刷画像情報により示される画像を形成する。【選択図】図１
2011051280.tif 000002
【特許請求の範囲】
【請求項１】
外部装置から印刷が指示された画像を示す印刷画像情報を受信する受信手段と、
長尺な帯状の記録媒体を前記印刷画像情報により示される画像を形成する分だけ搬送しつつ当該記録媒体に対して前記印刷画像情報により示される画像を形成する画像形成手段と、
前記画像形成手段により画像が形成された前記記録媒体が画像１つ分以上の長さの搬送経路を介して格納される格納部と、
前記印刷画像情報に基づいて前記画像形成手段により前記記録媒体に形成された最後の画像の前記格納部への排出指示を受け付ける受付手段と、
前記受付手段で排出指示が受付られた際に前記記録媒体の前記最後の画像の後に続けて形成する画像を示す排出指示時印刷画像情報を前記受信手段で外部装置から受信又は装置内部で生成し、前記受付手段で排出指示が受付られた場合、少なくとも前記搬送経路の長さ分前記記録媒体を搬送しつつ当該記録媒体に前記排出指示時印刷画像情報により示される画像を形成するように画像形成手段を制御する制御手段と、
を備えた画像形成装置。
【請求項２】
前記印刷画像情報は、当該印刷画像情報に基づく画像を前記記録媒体に形成する優先度合を示す優先度合情報を含み、
前記制御手段は、前記受信手段で受信される印刷画像情報に含まれる優先度合情報により示される優先度合が予め定めた値以下の印刷画像情報を前記排出指示時印刷画像情報として、前記受付手段で排出指示が受付られた場合、前記記録媒体に形成するように画像形成手段を制御する
請求項１記載の画像形成装置。
【請求項３】
前記受付手段で排出指示が受付られた場合、外部装置に対して前記排出指示時印刷画像情報を要求する要求情報を送信する送信手段をさらに備え、
前記制御手段は、前記要求情報に応答して前記受信手段で受信される前記排出指示時印刷画像情報に基づく画像を形成するように画像形成手段を制御する
請求項１記載の画像形成装置。
【請求項４】
前記受付手段は、前記排出指示時印刷画像情報により示される画像を前記記録媒体に形成する大きさ及び形式を含む属性の指定をさらに受け付け、
前記制御手段は、前記受付手段により受け付けた属性で前記排出指示時印刷画像情報により示される画像を形成するように画像形成手段を制御する
請求項１〜請求項３の何れか１項記載の画像形成装置。
【請求項５】
前記制御手段は、前記排出指示時印刷画像情報が複数存在する場合、画像の論理頁長が近い前記排出指示時印刷画像情報により示される画像を優先的に形成する
請求項１〜請求項４の何れか１項記載の画像形成装置。
【請求項６】
前記記録媒体が予め定められた帳票に対応する様式で予め印刷が行われた記録媒体であるか否かを検出する検出手段さらに備え、
前記制御手段は、前記検出手段による検出の結果、前記記録媒体が予め定められた帳票に対応する様式で予め印刷が行われた記録媒体である場合、前記排出指示時印刷画像情報により示される画像を形成せずに前記記録媒体を搬送する
請求項１〜請求項５の何れか１項記載の画像形成装置。
【請求項７】
前記記録媒体の残量が当該記録媒体の交換を必要とする予め定められた残量以下となったことを検出する残量検出手段をさらに備え、
前記制御手段は、前記受付手段で排出指示が受付られた場合、前記残量検出手段により前記記録媒体が前記予め定められた残量以下であることが検出されても前記排出指示時印刷画像情報により示される画像を形成するように画像形成手段を制御する
請求項１〜請求項６の何れか１項記載の画像形成装置。
【請求項８】
前記制御手段は、前記排出指示時印刷画像情報により示される画像の形成中に新たな印刷画像情報が前記受信手段で受信された場合、当該新たな印刷画像情報に基づく画像を形成するように画像形成手段を制御する
請求項１〜請求項７の何れか１項記載の画像形成装置。
【請求項９】
前記制御手段は、前記排出指示時印刷画像情報により示される画像を印刷画像情報に基づく画像に対して画像の上下を反転させて形成するように画像形成手段を制御する
請求項１〜請求項８の何れか１項記載の画像形成装置。
【請求項１０】
コンピュータを、
長尺な帯状の記録媒体を画像を形成する分だけ搬送しつつ当該記録媒体に対して印刷画像情報により示される画像を形成する画像形成手段により前記記録媒体に形成された最後の画像の格納部への排出指示を受付手段で受付られた際に前記記録媒体の前記最後の画像の後に続けて形成する画像を示す排出指示時印刷画像情報を受信手段で外部装置から受信又は装置内部で生成し、前記受付手段で排出指示が受付られた場合、前記画像形成手段により画像が形成された前記記録媒体が画像１つ分以上の長さの搬送経路を介して格納部へ格納される当該搬送経路の長さ分少なくとも前記記録媒体を搬送しつつ当該記録媒体に前記排出指示時印刷画像情報により示される画像を形成するように画像形成手段を制御する制御手段として機能させるためのプログラム。
【発明の詳細な説明】
【技術分野】
【０００１】
この発明は、画像形成装置及びプログラムに関する。
【背景技術】
【０００２】
特許文献１には、コンピュータとこのコンピュータに接続されたプリンタ装置とにより構成されるプリンタシステムにおいて、手動用紙送り時に用紙に印字させようとする少なくとも一つの形式文書を格納する書式情報ファイルと、この書式情報ファイルから印字させたい形式文書の一つを選択する形式文書選択手段と、手動用紙送り時に前記形式文書選択手段により選択された形式文書をプリンタ装置に与えて印字させる印字制御手段とを有するプリンタシステムが記載されている。
【先行技術文献】
【特許文献】
【０００３】
【特許文献１】特開平５−２２９２１５号公報
【発明の概要】
【発明が解決しようとする課題】
【０００４】
本発明は、長尺な帯状の記録媒体に形成された最後の画像の後の画像未形成部分を有効活用しつつ当該画像未形成部分に形成する画像情報を予め格納する煩雑さを解消した画像形成装置及びプログラムを提供することを目的とする。
【課題を解決するための手段】
【０００５】
請求項１に記載の発明の画像形成装置は、外部装置から印刷が指示された画像を示す印刷画像情報を受信する受信手段と、長尺な帯状の記録媒体を前記印刷画像情報により示される画像を形成する分だけ搬送しつつ当該記録媒体に対して前記印刷画像情報により示される画像を形成する画像形成手段と、前記画像形成手段により画像が形成された前記記録媒体が画像１つ分以上の長さの搬送経路を介して格納される格納部と、前記印刷画像情報に基づいて前記画像形成手段により前記記録媒体に形成された最後の画像の前記格納部への排出指示を受け付ける受付手段と、前記受付手段で排出指示が受付られた際に前記記録媒体の前記最後の画像の後に続けて形成する画像を示す排出指示時印刷画像情報を前記受信手段で外部装置から受信又は装置内部で生成し、前記受付手段で排出指示が受付られた場合、少なくとも前記搬送経路の長さ分前記記録媒体を搬送しつつ当該記録媒体に前記排出指示時印刷画像情報により示される画像を形成するように画像形成手段を制御する制御手段と、を備えている。
【０００６】
また、請求項２に記載の発明は、請求項１記載の発明において、前記印刷画像情報は、当該印刷画像情報に基づく画像を前記記録媒体に形成する優先度合を示す優先度合情報を含み、前記制御手段が、前記受信手段で受信される印刷画像情報に含まれる優先度合情報により示される優先度合が予め定めた値以下の印刷画像情報を前記排出指示時印刷画像情報として、前記受付手段で排出指示が受付られた場合、前記記録媒体に形成するように画像形成手段を制御するものである。
【０００７】
また、請求項３に記載の発明は、請求項１記載の発明において、前記受付手段で排出指示が受付られた場合、外部装置に対して前記排出指示時印刷画像情報を要求する要求情報を送信する送信手段をさらに備え、前記制御手段が、前記要求情報に応答して前記受信手段で受信される前記排出指示時印刷画像情報に基づく画像を形成するように画像形成手段を制御するものである。
【０００８】
また、請求項４に記載の発明は、請求項１〜請求項３の何れか１項記載の発明において、前記受付手段が、前記排出指示時印刷画像情報により示される画像を前記記録媒体に形成する大きさ及び形式を含む属性の指定をさらに受け付け、前記制御手段が、前記受付手段により受け付けた属性で前記排出指示時印刷画像情報により示される画像を形成するように画像形成手段を制御するものである。
【０００９】
また、請求項５に記載の発明は、請求項１〜請求項４の何れか１項記載の発明において、前記制御手段が、前記排出指示時印刷画像情報が複数存在する場合、画像の論理頁長が近い前記排出指示時印刷画像情報により示される画像を優先的に形成するものである。
【００１０】
また、請求項６に記載の発明は、請求項１〜請求項５の何れか１項記載の発明において、前記記録媒体が予め定められた帳票に対応する様式で予め印刷が行われた記録媒体であるか否かを検出する検出手段さらに備え、前記制御手段が、前記検出手段による検出の結果、前記記録媒体が予め定められた帳票に対応する様式で予め印刷が行われた記録媒体である場合、前記排出指示時印刷画像情報により示される画像を形成せずに前記記録媒体を搬送するものである。
【００１１】
また、請求項７に記載の発明は、請求項１〜請求項６の何れか１項記載の発明において、前記記録媒体の残量が当該記録媒体の交換を必要とする予め定められた残量以下となったことを検出する残量検出手段をさらに備え、前記制御手段が、前記受付手段で排出指示が受付られた場合、前記残量検出手段により前記記録媒体が前記予め定められた残量以下であることが検出されても前記排出指示時印刷画像情報により示される画像を形成するように画像形成手段を制御するものである。
【００１２】
また、請求項８に記載の発明は、請求項１〜請求項７の何れか１項記載の発明において、前記制御手段が、前記排出指示時印刷画像情報により示される画像の形成中に新たな印刷画像情報が前記受信手段で受信された場合、当該新たな印刷画像情報に基づく画像を形成するように画像形成手段を制御するものである。
【００１３】
また、請求項９に記載の発明は、請求項１〜請求項８の何れか１項記載の発明において、前記制御手段が、前記排出指示時印刷画像情報により示される画像を印刷画像情報に基づく画像に対して画像の上下を反転させて形成するように画像形成手段を制御するものである。
【００１４】
一方、請求項１０に記載の発明のプログラムは、長尺な帯状の記録媒体を画像を形成する分だけ搬送しつつ当該記録媒体に対して印刷画像情報により示される画像を形成する画像形成手段により前記記録媒体に形成された最後の画像の格納部への排出指示を受付手段で受付られた際に前記記録媒体の前記最後の画像の後に続けて形成する画像を示す排出指示時印刷画像情報を受信手段で外部装置から受信又は装置内部で生成し、前記受付手段で排出指示が受付られた場合、前記画像形成手段により画像が形成された前記記録媒体が画像１つ分以上の長さの搬送経路を介して格納部へ格納される当該搬送経路の長さ分少なくとも前記記録媒体を搬送しつつ当該記録媒体に前記排出指示時印刷画像情報により示される画像を形成するように画像形成手段を制御する制御手段として機能させるものである。
【発明の効果】
【００１５】
請求項１、及び請求項１０に記載の発明によれば、手動用紙送り時に用紙の白紙部分に形成する画像情報を予め格納する必要がある場合と比較して、長尺な帯状の記録媒体に形成された最後の画像の後の画像未形成部分を有効活用しつつ当該画像未形成部分に形成する画像情報を予め格納する煩雑さが解消される。
【００１６】
また、請求項２に記載の発明によれば、優先度合の高い印刷画像情報が印刷され、優先度合の低い印刷画像情報が優先度合の高い印刷画像情報の手動用紙送り時に印刷される。
【００１７】
また、請求項３に記載の発明によれば、排出指示が受付られた際に必要に応じた排出指示時印刷画像情報を外部装置から送信させて印刷を行える。
【００１８】
また、請求項４に記載の発明によれば、受付手段により受け付けた属性で排出指示時印刷画像情報により示される画像の印刷を行える。
【００１９】
また、請求項５に記載の発明によれば、論理頁長が異なるために排出指示時印刷画像情報の画像を形成しても記録媒体が無駄になることが抑制される。
【００２０】
また、請求項６に記載の発明によれば、帳票に対応する様式で予め印刷が行われた記録媒体に印刷が行われることが防止される。
【００２１】
また、請求項７に記載の発明によれば、記録媒体が交換を必要とする予め定められた残量以下となっても、排出指示時印刷画像情報の画像が印刷が続行される。
【００２２】
また、請求項８に記載の発明によれば、排出指示時印刷画像情報により示される画像の形成中であっても新たな印刷画像情報に基づく画像が印刷される。
【００２３】
また、請求項９に記載の発明によれば、記録媒体に印刷された排出指示時印刷画像情報により示される画像と印刷画像情報により示される画像を判別しやすくなる。
【図面の簡単な説明】
【００２４】
【図１】第１の実施の形態に係る画像形成装置の概略構成を示す平面図である。
【図２】第１の実施の形態に係る制御部の要部構成を示す平面図である。
【図３】第１の実施の形態に係る搬送頁指定画面の一例を示す図である。
【図４】第１の実施の形態に係るイジェクト処理プログラムの処理の流れを示すフローチャートである。
【図５】第１の実施の形態に係るファームウェアのバージョン、連携ソフトの更新情報の印刷結果の一例を示す図である。
【図６】第１の実施の形態に係る画像形成装置による連続用紙への画像の印刷結果の一例を示す図である。
【図７】第１の実施の形態に係る装置使用状況の印刷結果の一例を示す図である。
【図８】第１の実施の形態に係る印刷履歴情報の印刷結果の一例を示す図である。
【図９】第１の実施の形態に係る装置管理情報の印刷結果の一例を示す図である。
【図１０】第１の実施の形態に係る印刷属性情報の印刷結果の一例を示す図である。
【図１１】第２の実施の形態に係る排出指示時印刷画像情報判別処理プログラムの処理の流れを示すフローチャートである。
【図１２】第３の実施の形態に係るイジェクト処理プログラムの処理の流れを示すフローチャートである。
【図１３】第４の実施の形態に係るイジェクト処理プログラムの処理の流れを示すフローチャートである。
【図１４】第５の実施の形態に係るイジェクト処理プログラムの処理の流れを示すフローチャートである。
【図１５】第５の実施の形態に係る装置管理情報の印刷結果の一例を示す図である。
【図１６】第５の実施の形態に係る印刷履歴情報の印刷結果の一例を示す図である。
【図１７】第５の実施の形態に係る画像形成装置による連続用紙への画像の印刷結果の一例を示す図である。
【図１８】第５の実施の形態に係る装置使用状況の印刷結果の一例を示す図である。
【図１９】第５の実施の形態に係る装置使用状況の印刷結果の一例を示す図である。
【図２０】第６の実施の形態に係るイジェクト処理プログラムの処理の流れを示すフローチャートである。
【図２１】第７の実施の形態に係るイジェクト処理プログラムの処理の流れを示すフローチャートである。
【図２２】第７の実施の形態に係る画像形成装置による連続用紙への画像の印刷結果の一例を示す図である。
【図２３】第８の実施の形態に係る画像形成装置の概略構成を示す平面図である。
【図２４】第８の実施の形態に係る画像形成装置による連続用紙への画像の印刷結果の一例を示す図である。
【図２５】他の実施の形態に係るジョブセパレーションマークまたはコピーセパレーションマークの一例を示す図である。
【発明を実施するための形態】
【００２５】
以下、図面を参照して、本発明を実施するための形態について詳細に説明する。
【００２６】
［第１の実施の形態］
図１には、本実施の形態に係る画像形成装置１０の概略構成が示されている。
【００２７】
図１に示すように、画像形成装置１０は、電子写真方式にて連続用紙Ｐへ画像の形成を行う画像形成部１２と、画像が形成される前の連続用紙Ｐを収納する収容部１４と、画像形成部１２により画像が形成された連続用紙Ｐが格納される格納部１６を備えている。
【００２８】
画像形成部１２には、図１の矢印Ｆ方向へ予め定められた回転速度で回転駆動する円筒状の感光体ドラム３０が設けられている。この感光体ドラム３０の周囲には、感光体ドラム３０の表面を一様に帯電させる帯電器３６が配置されている。この帯電器３６による感光体ドラム３０への帯電が一連の画像形成工程の初段階となる。さらに、感光体ドラム３０の回転方向に沿って帯電器３６より下流側には、帯電器３６により一様に帯電された感光体ドラム３０の軸線方向に、所望の画像に基づく光ビームを照射し、感光体ドラム３０上に静電潜像を形成する光走査装置３８が配置されている。
【００２９】
また、感光体ドラム３０の周囲には、感光体ドラム３０の回転方向に沿って光走査装置３８よりも下流側に、感光体ドラム３０上に形成された静電潜像をトナーによって現像して画像を形成させる現像器４０が配設されている。この現像器４０の下流側には画像の転写を行う転写位置が位置しており、転写器４２が配設されている。
【００３０】
収容部１４には、記録媒体としての長尺な帯状の連続用紙Ｐが収納されている。本実施の形態に係る連続用紙Ｐは、予め定められた大きさの頁領域毎に切り離せるように頁領域毎にミシン目が設けられており、頁領域毎に交互に畳まれている。連続用紙Ｐは、不図示の搬送機構により画像形成に同期して収容部１４から取り出されて転写位置へ搬送される。
【００３１】
転写器４２は、予め定められた電圧が印加されて感光体ドラム３０上の画像を連続用紙Ｐに転写する。
【００３２】
画像が転写された連続用紙Ｐは、定着器４４に搬送され、そこで画像の定着処理（加熱、加圧等）が施される。これにより、画像が連続用紙Ｐに定着されて、連続用紙Ｐ上に所望の画像が形成される。画像が形成された連続用紙Ｐは、排出ロール４６を介して格納部１６へ排出される。排出された連続用紙Ｐは、スイングアーム４８により折り畳んで格納部１６に格納される。
【００３３】
本実施の形態に係る画像形成装置１０は、転写器４２による画像の転写位置から格納部１６まで連続用紙Ｐが搬送される搬送経路５０の長さが複数の頁領域分（本実施の形態では、４頁領域分）の長さとされている。
【００３４】
なお、連続用紙Ｐへのトナー像の転写後、定着器４４によって連続用紙Ｐに転写されずに残存した感光体ドラム３０の表面のトナーは、クリーニング装置５２で除去される。そして除電装置５４によって感光体ドラム３０全面は除電され、再び帯電器３６によって、感光体ドラム３０の電位を均一に帯電する。
【００３５】
また、画像形成装置１０は、各種の操作指示が入力される操作ボタンやテンキー、各種のメッセージ等を表示するための表示部が設けられた操作パネル６０と、各種情報を記憶するＨＤＤ（Hard Disk Drive）６２、フレキシブルディスクＦＤ等の可搬型の記憶録媒体から情報を読み取るためのディスクドライブ６４と、コンパクト・フラッシュ（登録商標）、ＳＤカード（Secure Digital memory card）（登録商標）等の過般型の半導体記憶媒体（外部メモリ６５）から情報を読み取るための外部メモリインタフェース（外部メモリＩ／Ｆ）６６と、装置全体を制御する制御部６８とを備えている。
【００３６】
図２には、本実施の形態に係る制御部６８の要部構成が示されている。
【００３７】
制御部６８は、画像形成装置１０全体の動作を司るＣＰＵ（Central Processing Unit）７０、後述するイジェクト処理プログラムを含む各種プログラムや各種のファームウェアのバージョン、各種連携ソフト、各種パラメータ等が予め記憶されたＲＯＭ（Read Only Memory）７２、ＣＰＵ７０による各種プログラムの実行時のワークエリア等として用いられるＲＡＭ（Random Access Memory）７４、ＨＤＤ６２に対する情報の書き込み及び読み出しを制御するＨＤＤコントローラ７６、ディスクドライブ６４に装着されたフレキシブルディスクＦＤに対する情報の書き込み及び読み出しを制御するＦＤＤコントローラ７８、外部メモリＩ／Ｆ６６に装着された外部メモリ６５に対する情報の書き込み及び読み出しを制御する外部メモリコントローラ８０、操作パネル６０への各種情報の表示を制御すると共に操作パネル６０に対する操作を検出するＵＩコントローラ８２、ネットワークＮＥＴに接続され、ネットワークＮＥＴを介して外部装置（例えば、パーソナルコンピュータなどの端末装置）と情報の送受信を行なうネットワークインタフェース（ネットワークＩ／Ｆ）８４、上述した画像形成部１２による画像形成処理を制御する画像形成制御部８６、を備えている。尚、外部装置８４は、ネットワークＮＥＴを介して画像形成装置１０に接続しているが、ネットワークＮＥＴ以外にも、専用線で接続される、所謂、チャネル接続で接続されてもよい。
【００３８】
ＣＰＵ７０、ＲＯＭ７２、ＲＡＭ７４、ＨＤＤコントローラ７６、ＦＤＤコントローラ７８、ＵＩコントローラ８２、ネットワークＩ／Ｆ８４、及び画像形成制御部８６は、システムバスＢＵＳを介して相互に接続されている。従って、ＣＰＵ７０は、ＲＯＭ７２、ＲＡＭ７４へのアクセス、ＨＤＤコントローラ７６を介してＨＤＤ６２へのアクセス、ＦＤＤコントローラ７８を介してフレキシブルディスクＦＤへのアクセス、外部メモリコントローラ８０を介して外部メモリ６５へのアクセスと、ＵＩコントローラ８２を介して操作パネル６０への操作画面、各種メッセージ等の各種情報の表示の制御と、ネットワークＩ／Ｆ８４を介して外部の端末装置を情報の送受信の制御と、画像形成制御部８６を介して画像形成部１２の作動の制御と、搬送制御部１１６を介した連続用紙Ｐの搬送の制御とを各々行う。
【００３９】
また、ＣＰＵ７０は、ＵＩコントローラ８２により検出された操作情報に基づいて操作パネル６０に対する操作内容を把握し、画像形成制御部８６で導出される各種情報に基づいて画像形成部１２の作動状態を把握する。
【００４０】
次に、本実施の形態に係る画像形成装置１０の作用について説明する。
【００４１】
画像形成装置１０は、ネットワークＮＥＴを介してネットワークＩ／Ｆ８４により外部装置から印刷が指示された画像を示す印刷画像情報を受信する。
【００４２】
画像形成装置１０は、印刷画像情報が受信された場合、受信された印刷画像情報に基づく画像を連続用紙Ｐにプリントする印刷ジョブの実行を開始し、連続用紙Ｐを印刷画像情報により示される画像を形成する分だけ搬送しつつ当該連続用紙Ｐに対して印刷画像情報により示される画像を形成する。
【００４３】
また、本実施の形態に係る画像形成装置１０は、印刷対象とする記録媒体が連続用紙Ｐであり、また機構上転写器４２による転写位置と定着器４４による定着位置とが離れているため、次に実行する印刷ジョブがない場合、実行中の印刷ジョブの最終頁が転写した直後の位置で印刷を停止し、次に実行する印刷ジョブがある場合、実行中の印刷ジョブの最後の画像に続けて次の印刷ジョブの実行を開始する。すなわち、次に実行する印刷ジョブがなく場合、連続用紙Ｐに形成された最後の画像（最終頁）が画像形成装置１０内で停止する。このように次の印刷ジョブがある場合に前の印刷ジョブの最後の画像に続けて次の印刷ジョブの画像の印刷を行うことで、各印刷ジョブの間にムダ紙（白紙）が挿入されなくなる。
【００４４】
また、本実施の形態に係る画像形成装置１０は、次に実行する印刷ジョブがなく、装置内で停止した連続用紙Ｐに形成された最後の画像（最終頁）を取り出す必要がある場合のため、操作パネル６０により最後の画像の格納部１６への排出指示（以下、「イジェクト指示」とも言う。）を受け付ける。
【００４５】
ところで、本実施の形態に係る画像形成装置１０は、操作パネル６０に対してイジェクト指示がされた場合に、画像が形成された最終頁を排出するために連続用紙Ｐを搬送する頁領域数を指定が行えるものとされている。
【００４６】
図３にはイジェクト指示がされた場合の連続用紙Ｐを搬送する頁領域数を指定する搬送頁指定画面９０の一例が示されている。
【００４７】
搬送頁指定画面９０は、頁領域数を指定するためのコンボボックス９２が設けられている。コンボボックス９２には、搬送経路５０以上の長さになる頁領域数が設定されており、本実施の形態では、搬送経路５０の長さが４頁領域分であるため、４〜１０の値が設定されている。
【００４８】
ユーザは、コンボボックス９２に対してイジェクト指示をした場合に搬送する連続用紙Ｐの頁領域数を指定する。コンボボックス９２で指定された頁領域数は、イジェクト頁領域数情報としてＨＤＤ６２に記憶される。
【００４９】
本実施の形態に係る画像形成装置１０は、操作パネル６０でイジェクト指示が受付られた際に連続用紙Ｐの最後の画像の後に続けて形成する画像を示す排出指示時印刷画像情報を装置内部で生成してＨＤＤ６２に記憶しており、操作パネル６０でイジェクト指示が受付られた場合、操作パネル６０で指定された頁領域数分、連続用紙Ｐを搬送しつつ当該連続用紙Ｐに排出指示時印刷画像情報により示される画像を形成する。
【００５０】
図４には、操作パネル６０でイジェクト指示が受付られた場合、ＣＰＵ７０により実行されるイジェクト処理プログラムの処理の流れを示すフローチャートが示されている。なお、当該プログラムは記憶媒体としてのＲＯＭ７２に予め記憶されている。
【００５１】
ステップ１００では、ＨＤＤ６２に排出指示時印刷画像情報が存在するか否か判定し、肯定判定となった場合はステップ１０４へ移行し、否定判定となった場合はステップ１０２へ移行する。
【００５２】
ステップ１０２では、連続用紙Ｐの最後の画像の後に続けて形成する画像を示す排出指示時印刷画像情報を生成する。
【００５３】
本実施の形態では、排出指示時印刷画像情報として、搭載されたファームウェアのバージョン、連携ソフトの更新情報など画像形成装置１０に関する情報を印刷するものとしており、画像形成装置１０に関する情報を印刷するための排出指示時印刷画像情報を生成する。
【００５４】
ステップ１０４では、排出指示時印刷画像情報において印刷されていない頁が存在するか否かを判定し、肯定判定となった場合はステップ１０６へ移行し、否定判定となった場合はステップ１０８へ移行する。
【００５５】
ステップ１０６では、画像形成制御部８６を介して画像形成部１２の作動の制御して、連続用紙Ｐを１頁領域分搬送しつつ排出指示時印刷画像情報により示される画像を頁順に形成する。
【００５６】
これにより、図５に示すように、ファームウェアのバージョン、連携ソフトの更新情報など画像形成装置１０に関する情報が印刷される。
【００５７】
一方、ステップ１０８では、画像形成制御部８６を介して画像形成部１２の作動の制御して、連続用紙Ｐを１頁領域分搬送させる。すなわち、排出指示時印刷画像情報において印刷されていない頁が存在しないため、ステップ１０８では、印刷を行わずに連続用紙Ｐを１頁領域分搬送させる。
【００５８】
ステップ１１０では、イジェクト頁領域数情報により示される頁領域数分の連続用紙Ｐの搬送が完了したか否かを判定し、肯定判定となった場合はステップ１１２へ移行し、否定判定となった場合は上記ステップ１０４へ移行する。
【００５９】
ステップ１１２では、印刷対象となった排出指示時印刷画像情報の各頁を全て印刷したか否か判定し、肯定判定となった場合はステップ１１４へ移行し、否定判定となった場合は処理を終了する。
【００６０】
ステップ１１４では、印刷対象となった排出指示時印刷画像情報を削除して処理を終了する。
【００６１】
これにより、図６に示すように、印刷画像情報に基づく画像の後に排出指示時印刷画像情報に基づく画像が形成される。なお、図６では、イジェクト頁領域数＝５としており、印刷画像情報に基づく画像をＡｅ-４〜Ａｅと示し、排出指示時印刷画像情報に基づく画像をＢ１〜Ｂ５と示している。
【００６２】
なお、上記第１の実施の形態では、画像形成装置１０に関する情報として、ファームウェアのバージョン、連携ソフトの更新情報を印刷する場合について説明したがこれに限定されるものではない。例えば、画像形成装置１０に関する情報として、図７〜図１０に示すように、装置使用状況／印刷履歴情報／装置管理情報／印刷属性情報等を印刷するようにしてもよい。
【００６３】
［第２の実施の形態］
第２の実施の形態に係る画像形成装置１０の概略構成、制御部６８の要部構成は第１の実施の形態と同様であるため、ここでの説明は省略する。
【００６４】
第２の実施の形態では、ネットワークＮＥＴを介してネットワークＩ／Ｆ８４により外部装置から受信される印刷画像情報に、当該印刷画像情報に基づく画像を連続用紙Ｐに形成する優先度合（例えば、高、中、低）を示す優先度合情報が含まれている。
【００６５】
第２の実施の形態に係る画像形成装置１０は、受信された印刷画像情報に含まれる優先度合情報により示される優先度合が予め定めた値（ここでは、低）以下の印刷画像情報を排出指示時印刷画像情報としてＨＤＤ６２に記憶する。
【００６６】
図１１には、印刷画像情報が受信された場合、ＣＰＵ７０により実行される排出指示時印刷画像情報判別処理プログラムの処理の流れを示すフローチャートが示されている。なお、当該プログラムは記憶媒体としてのＲＯＭ７２に予め記憶されている。
【００６７】
ステップ２００では、受信された印刷画像情報に含まれる優先度合情報により示される優先度合が予め定めた値以下であるか否かを判定し、肯定判定となった場合はステップ２０２０へ移行し、否定判定となった場合はステップ２０４へ移行する。
【００６８】
ステップ２０２では、受信された印刷画像情報を排出指示時印刷画像情報としてＨＤＤ６２に記憶し、処理を終了する。
【００６９】
一方、ステップ２０４では、受信された印刷画像情報に基づく画像を連続用紙Ｐにプリントする印刷ジョブの実行を開始し、処理を終了する。
【００７０】
これにより、受信される印刷画像情報のうち、優先度の低い印刷画像情報が排出指示時印刷画像情報として印刷される。
【００７１】
［第３の実施の形態］
第３の実施の形態に係る画像形成装置１０の概略構成、制御部６８の要部構成は第１の実施の形態と同様であるため、ここでの説明は省略する。
【００７２】
第３の実施の形態に係る画像形成装置１０は、排出指示時印刷画像情報をネットワークＮＥＴを介してネットワークＩ／Ｆ８４により外部装置から受信し、受信された排出指示時印刷画像情報をＨＤＤ６２に記憶する。
【００７３】
そして、第３の実施の形態に係る画像形成装置１０は、操作パネル６０でイジェクト指示が受付られた場合、操作パネル６０で指定された頁領域数分、連続用紙Ｐを搬送しつつ当該連続用紙ＰにＨＤＤ６２に記憶された排出指示時印刷画像情報により示される画像を形成する。
【００７４】
図１２には、第３の実施の形態に係るイジェクト処理プログラムの処理の流れを示すフローチャートが示されている。なお、第３の実施の形態に係るイジェクト処理プログラムで新たな追加された処理については符号の後に「Ａ」と付して説明し、上記第１の実施の形態のイジェクト処理（図４）と同一の処理には同一の符号を付して説明を省略する。
【００７５】
ステップ１００Ａでは、ＨＤＤ６２に排出指示時印刷画像情報が記憶されているか否か判定し、肯定判定となった場合はステップ１０４へ移行し、否定判定となった場合はステップ１２０Ａへ移行する。
【００７６】
ステップ１２０Ａでは、画像形成制御部８６を介して画像形成部１２の作動の制御して、連続用紙Ｐをイジェクト頁領域数情報により示される頁領域数分搬送させて処理を終了する。すなわち、ＨＤＤ６２に排出指示時印刷画像情報が記憶されていないため、ステップ１２０Ａでは、印刷を行わずに連続用紙Ｐをイジェクト頁領域数情報により示される頁領域数分搬送させる。
【００７７】
これにより、画像形成装置１０は、外部装置から排出指示時印刷画像情報が受信されていた場合、操作パネル６０でイジェクト指示が受付られた場合に外部装置から受信された排出指示時印刷画像情報に基づく画像が形成される。
【００７８】
［第４の実施の形態］
第４の実施の形態に係る画像形成装置１０の概略構成、制御部６８の要部構成は第１の実施の形態と同様であるため、ここでの説明は省略する。
【００７９】
第４の実施の形態に係る画像形成装置１０は、操作パネル６０でイジェクト指示が受付られた場合、ネットワークＩ／Ｆ８４によりネットワークＮＥＴを介して外部装置に対して排出指示時印刷画像情報を要求する要求情報を送信する。
【００８０】
そして、第４の実施の形態に係る画像形成装置１０は、要求情報に応答して外部装置から送信されてネットワークＩ／Ｆ８４で受信される排出指示時印刷画像情報に基づく画像を形成する。
【００８１】
図１３には、第４の実施の形態に係るイジェクト処理プログラムの処理の流れを示すフローチャートが示されている。なお、第４の実施の形態に係るイジェクト処理プログラムで新たな追加された処理については符号の後に「Ｂ」と付して説明し、上記第１の実施の形態のイジェクト処理（図４）と同一の処理には同一の符号を付して説明を省略する。
【００８２】
ステップ１００Ｂでは、外部装置に対して排出指示時印刷画像情報を要求する要求情報を送信する。
【００８３】
ステップ１０２Ｂでは、排出指示時印刷画像情報の受信待ちを行い、排出指示時印刷画像情報が受信された場合、ステップ１０４へ移行する。
【００８４】
これにより、画像形成装置１０は、操作パネル６０でイジェクト指示が受付られた場合に外部装置に対して要求情報を送信し、要求情報に応答して受信される排出指示時印刷画像情報に基づく画像が形成される。
【００８５】
［第５の実施の形態］
第５の実施の形態に係る画像形成装置１０の概略構成、制御部６８の要部構成は第１の実施の形態と同様であるため、ここでの説明は省略する。
【００８６】
第５の実施の形態に係る画像形成装置１０は、操作パネル６０から排出指示時印刷画像情報により示される画像を連続用紙Ｐに形成する大きさ及び形式を含む属性の指定を受け付けるものとされており、例えば、本実施の形態では、連続用紙Ｐに形成する大きさと、１つの頁領域に複数頁分の画像を形成する所謂Ｎアップ形式の指定を受け付ける。
【００８７】
また、第５の実施の形態に係る画像形成装置１０は、操作パネル６０から連続用紙Ｐが予め定められた帳票に対応する様式で予め印刷が行われた連続用紙（所謂、プレプリント用紙）であるか否かの入力を受け付けるものとされており、入力結果に基づいて連続用紙Ｐが予め定められた帳票に対応する様式で予め印刷が行われた連続用紙であるかを検出する。
【００８８】
第５の実施の形態に係る画像形成装置１０は、操作パネル６０でイジェクト指示が受付られた場合、操作パネル６０で受け付けた属性及び連続用紙Ｐがプレプリント用紙であるか否かに基づいて排出指示時印刷画像情報により示される画像を形成するか否か及び形成する大きさ及び形式を変更する。
【００８９】
図１４には、第５の実施の形態に係るイジェクト処理プログラムの処理の流れを示すフローチャートが示されている。なお、第５の実施の形態に係るイジェクト処理プログラムで新たな追加された処理については符号の後に「Ｃ」と付して説明し、上記第１の実施の形態のイジェクト処理（図４）と同一の処理には同一の符号を付して説明を省略する。
【００９０】
ステップ１０３Ｃでは、連続用紙Ｐがプレプリント用紙であるか否かを判定し、肯定判定となった場合はステップ１２０Ｃへ移行し、否定判定となった場合はステップ１０４へ移行する。
【００９１】
ステップ１０６Ｃでは、画像形成制御部８６を介して画像形成部１２の作動の制御して、連続用紙Ｐを１頁領域分搬送しつつ操作パネル６０で受け付けた大きさ及びＮアップ形式で排出指示時印刷画像情報により示される画像を形成する。
【００９２】
これにより、例えば、連続用紙Ｐの幅が本来、排出指示時印刷画像情報に基づく画像が形成される連続用紙Ｐの幅よりも小さく（例えば、本来の排出指示時印刷画像情報に基づく画像が形成される連続用紙Ｐの幅が１７．５で連続用紙Ｐの幅が１０．５）、操作パネル６０で大きさ指定（例えば、用紙幅が１０．５）されていた場合、図１５に示すように連続用紙Ｐの頁領域内で指定された大きさに合わせた形成で画像が形成される。また、例えば、操作パネル６０で２アップ形式が指定されていた場合、図１６に示すように、連続用紙Ｐの頁領域内に２頁分の画像が形成される。
【００９３】
一方、ステップ１２０Ｃでは、画像形成制御部８６を介して画像形成部１２の作動の制御して、連続用紙Ｐをイジェクト頁領域数情報により示される頁領域数分搬送させて処理を終了する。すなわち、ステップ１２０Ｃでは、印刷を行わずに連続用紙Ｐを搬送させる。
【００９４】
これにより、例えば、図１７（Ａ）（Ｂ）に示すように、連続用紙Ｐがプレプリント用紙ではない場合、連続用紙Ｐを排出するイジェクト中に排出指示時印刷画像情報に基づく画像が形成されるが（図１７（Ａ））、連続用紙Ｐがプレプリント用紙である場合、イジェクト中に画像が形成されず連続用紙Ｐをイジェクト頁領域数情報により示される頁領域数分白紙で搬送される。なお、図１７（Ａ）（Ｂ）では、印刷画像情報に基づく画像をＡ１〜Ａ６と示し、排出指示時印刷画像情報に基づく画像をＢ１〜Ｂ２と示している。
【００９５】
連続用紙Ｐをイジェクト頁領域数情報により示される頁領域数分白紙で搬送される。このように白紙で搬送を行うことにより、連続用紙Ｐに帳票に対応する様式で予め印刷が行われた文字や線と排出指示時印刷画像情報により示される画像が重ならなくなる。
【００９６】
なお、上記第５の実施の形態では、操作パネル６０からの入力結果に基づいて連続用紙Ｐがプレプリント用紙であるかを検出する場合について説明したがこれに限定されるものではない。例えば、プレプリントされた連続用紙Ｐの特定の位置にプレプリント用紙であることを示すマークが付されている場合、収容部１４の当該マークに対応する位置にマークを検出するセンサを設けて連続用紙Ｐがプレプリント用紙であるかを検出するようにしてもよい。
【００９７】
また、上記第５の実施の形態では、連続用紙Ｐがプレプリント用紙である場合に印刷を行わずに連続用紙Ｐを搬送する場合について説明したがこれに限定されるものではない。例えば、操作パネル６０において、イジェクト指示がされた際に連続用紙Ｐに排出指示時印刷画像情報により示される画像を形成するか、画像を形成せずに連続用紙Ｐを搬送するかの指定を行えるようにし、操作パネル６０で受け付けた指定に従うようにしてもよい。
【００９８】
また、印刷画像情報、及び排出指示時印刷画像情報にそれぞれ印刷対象とする連続用紙Ｐの大きさ、紙種等の属性情報が含まれる場合、印刷画像情報と排出指示時印刷画像情報の属性情報が一致する場合に排出指示時印刷画像情報により示される画像を形成し、印刷画像情報と排出指示時印刷画像情報の属性情報が一致しない場合に連続用紙Ｐを白紙で搬送するようにしてもよい。
【００９９】
また、印刷画像情報、及び排出指示時印刷画像情報にそれぞれ画像の論理頁長が含まれる場合、印刷画像情報と排出指示時印刷画像情報の論理頁長が一致する場合に排出指示時印刷画像情報により示される画像を形成し、印刷画像情報と排出指示時印刷画像情報の論理頁長が一致しない場合に連続用紙Ｐを白紙で搬送するようにしてもよい。
【０１００】
また、印刷画像情報、及び排出指示時印刷画像情報にそれぞれ画像の論理頁長が含まれる場合、排出指示時印刷画像情報の論理頁長を印刷画像情報の論理長に変更して排出指示時印刷画像情報により示される画像を形成するようにしてもよい。図１８には、排出指示時印刷画像情報の論理頁長を印刷画像情報の論理長に変更して画像を形成した一例が示されている。
【０１０１】
また、連続用紙Ｐに設けられたミシン目の位置を印字禁止として印刷画像情報及び排出指示時印刷画像情報により示されるそれぞれの画像を形成するようにしてもよい。図１９には、ミシン目の位置を印字禁止として画像を形成した一例が示されている。
【０１０２】
［第６の実施の形態］
第６の実施の形態に係る画像形成装置１０の概略構成、制御部６８の要部構成は第１の実施の形態と同様であるため、ここでの説明は省略する。
【０１０３】
第６の実施の形態に係る画像形成装置１０は、操作パネル６０でイジェクト指示が受付られて、排出指示時印刷画像情報により示される画像を形成している途中でも、ネットワークＮＥＴを介してネットワークＩ／Ｆ８４により外部装置から印刷画像情報を受信した場合、当該印刷画像情報により示される画像の形成を行う。
【０１０４】
図２０には、第６の実施の形態に係るイジェクト処理プログラムの処理の流れを示すフローチャートが示されている。なお、第６の実施の形態に係るイジェクト処理プログラムで新たな追加された処理については符号の後に「Ｄ」と付して説明し、上記第１の実施の形態のイジェクト処理（図４）と同一の処理には同一の符号を付して説明を省略する。
【０１０５】
ステップ１０９Ｄでは、外部装置から印刷画像情報を受信したか否かを判定し、肯定判定となった場合はステップ１３０Ｄへ移行し、否定判定となった場合はステップ１１０へ移行する。
【０１０６】
ステップ１３０Ｄでは、受信された印刷画像情報に基づく画像を連続用紙Ｐにプリントする印刷ジョブの実行を開始して、処理を終了する。
【０１０７】
これにより、例えば、連続用紙Ｐの排出中であっても外部装置から印刷画像情報が受信された場合、当該印刷画像情報に基づく画像の形成が開始される。
【０１０８】
なお、上記第６の実施の形態では、連続用紙Ｐの排出中であっても外部装置から受信された印刷画像情報を優先して印刷する場合について説明したがこれに限定されるものではない。例えば、操作パネル６０において、連続用紙Ｐの排出と受信された印刷画像情報の印刷の何れか優先するかの指定を行えるようにし、操作パネル６０で受け付けた指定に従うようにしてもよい。
【０１０９】
［第７の実施の形態］
第７の実施の形態に係る画像形成装置１０の概略構成、制御部６８の要部構成は第１の実施の形態と同様であるため、ここでの説明は省略する。
【０１１０】
第７の実施の形態に係る画像形成装置１０は、操作パネル６０でイジェクト指示が受付られて連続用紙Ｐを搬送しつつ当該連続用紙Ｐに排出指示時印刷画像情報により示される画像を形成する際に、排出指示時印刷画像情報により示される画像を印刷画像情報に基づく画像に対して反転させて形成する。
【０１１１】
図２１には、第７の実施の形態に係るイジェクト処理プログラムの処理の流れを示すフローチャートが示されている。なお、第７の実施の形態に係るイジェクト処理プログラムで新たな追加された処理については符号の後に「Ｅ」と付して説明し、上記第１の実施の形態のイジェクト処理（図４）と同一の処理には同一の符号を付して説明を省略する。
【０１１２】
ステップ１０５Ｅでは、排出指示時印刷画像情報により示される画像を最終頁側から順に読み出し、読み出した画像を１８０度回転させて画像の上下を反転させる。
【０１１３】
ステップ１０６Ｅでは、画像形成制御部８６を介して画像形成部１２の作動の制御して、連続用紙Ｐを１頁領域分搬送しつつ反転させた画像を形成する。
【０１１４】
これにより、図２２に示すように、排出指示時印刷画像情報により示される画像は印刷画像情報により示される画像に対して画像の上下が反転しているため、印刷画像情報により示される画像と排出指示時印刷画像情報により示される画像とが判別し易くなる。また、排出指示時印刷画像情報により示される画像は最終頁側から印刷されるため、上下を反転させても画像の向きと頁順が一致する。なお、図２２では、印刷画像情報に基づく画像をＡ１〜Ａ６と示し、排出指示時印刷画像情報に基づく画像をＢ１〜Ｂ５と示している。
【０１１５】
［第８の実施の形態］
図２３には、第８の実施の形態に係る画像形成装置１０の概略構成が示されている。なお、上記第１の実施の形態の画像形成装置１０（図１）と同一の処理には同一の符号を付して説明を省略する。
【０１１６】
第８の実施の形態に係る画像形成装置１０は、画像形成部１２を２つ（１２Ａ、１２Ｂ）備えており、画像形成部１２Ａにより連続用紙Ｐの一方の面に画像を形成し、画像形成部１２Ｂにより連続用紙Ｐの他方の面に画像を形成する。なお、図２３では、画像形成部１２Ａの構成部品に符号「Ａ」と付し、画像形成部１２Ｂの構成部品に符号「Ｂ」と付している。よって、第８の実施の形態に係る画像形成装置１０は、連続用紙Ｐの両面に画像の形成が行える。画像形成部１２Ａ、１２Ｂは共に画像形成制御部８６（図２参照。）により動作が制御される。
【０１１７】
第８の実施の形態に係る画像形成装置１０は、印刷画像情報が受信された場合、受信された印刷画像情報に基づく画像を連続用紙Ｐの一方の面に形成し、操作パネル６０でイジェクト指示が受付られた場合、排出指示時印刷画像情報に基づく画像を連続用紙Ｐの他方の面に形成する。
【０１１８】
これにより、図２４に示すように、印刷画像情報により示される画像と排出指示時印刷画像情報により示される画像が連続用紙Ｐの異なる面に形成されるため、印刷画像情報により示される画像と排出指示時印刷画像情報により示される画像とが判別し易くなる。なお、図２４では、印刷画像情報に基づく画像をＡ１〜Ａ６と示し、排出指示時印刷画像情報に基づく画像をＢ１〜Ｂ２と示している。
【０１１９】
なお、上記第８の実施の形態では、画像形成装置１０は、２つの画像形成部１２Ａ、１２Ｂを設けて連続用紙Ｐの両面に画像の形成する場合について説明したがこれに限定されるものではない。例えば、連続用紙Ｐの一方の面に形成する第１の画像形成装置と連続用紙Ｐの他方の面に形成する第２の画像形成装置とを重連で接続して連続用紙Ｐの表裏両面に印刷を行う画像形成システムにおいて、印刷画像情報が受信された場合、受信された印刷画像情報に基づく画像を第１の画像形成装置で連続用紙Ｐの一方の面に形成し、操作パネル６０でイジェクト指示が受付られた場合、排出指示時印刷画像情報に基づく画像を第２の画像形成装置で連続用紙Ｐの他方の面に形成するようにしてもよい。
【０１２０】
また、上記各実施の形態では、イジェクト指示が受付られた場合、搬送頁指定画面９０で指定された頁領域数分の連続用紙Ｐを搬送する場合について説明したがこれに限定されるものではない。例えば、排出指示時印刷画像情報により示される画像が指定された頁領域数分よりも多い場合、排出指示時印刷画像情報により示される画像を全て形成するようにしてもよい。また、イジェクト指示が受付られて、排出指示時印刷画像情報により示される画像を指定された頁領域数分だけ形成した時点で外部装置から次の印刷画像情報を未受信の場合に、排出指示時印刷画像情報の残りの画像を全て形成するようにしてもよい。
【０１２１】
また、収容部１４に連続用紙Ｐの残量が当該記録媒体の交換を必要とする予め定められた残量以下となったことを検出する残量検出センサを設け、通常の印刷画像情報により示される画像の印刷を行う場合は残量検出センサで連続用紙Ｐの残量が予め定められた残量以下であることが検出された場合に、連続用紙Ｐの交換を促すメッセージを操作パネル６０に表示し、イジェクト指示が受付られた場合、残量検出センサで連続用紙Ｐの残量が予め定められた残量以下であることが検出されてあっても排出指示時印刷画像情報により示される画像を形成を継続するようにしてもよい。
【０１２２】
また、上記第１の実施の形態では、排出指示時印刷画像情報を装置内部で生成し、第２及び第３の実施の形態では、排出指示時印刷画像情報を外部装置から受信する場合について説明したがこれに限定されるものではない。例えば、排出指示時印刷画像情報の装置内部での生成、外部装置から受信を選択的に行えるようにしてもよい。この選択は操作パネル６０において行えるものとしてもよい。
【０１２３】
また、上記各実施の形態では、次に実行する印刷ジョブがなく場合、印刷ジョブの最終頁が転写した直後の位置で印刷を停止している状態で操作パネル６０でイジェクト指示を受け付けた場合について説明したがこれに限定されるものではない。例えば、印刷ジョブを途中で停止させて操作パネル６０でイジェクト指示が受付られた場合についても同様のイジェクト処理を行えばよい。
【０１２４】
また、上記第７の実施の形態では、排出指示時印刷画像情報により示される画像を印刷画像情報に基づく画像に対して画像の上下を反転させ、上記第８の実施の形態では、印刷画像情報により示される画像と排出指示時印刷画像情報により示される画像が連続用紙Ｐの異なる面に形成することにより、印刷画像情報により示される画像と排出指示時印刷画像情報により示される画像とを判別しやすくする場合について説明したがこれに限定されるものではない。例えば、図２５に示すように、印刷画像情報により示される画像と排出指示時印刷画像情報により示される画像が切り替わる頁にジョブセパレーションマークまたはコピーセパレーションマークを印刷することで印刷画像情報により示される画像と排出指示時印刷画像情報により示される画像を容易に区分けされる。
【０１２５】
また、上記各実施の形態では、電子写真方式の画像形成装置１０に本発明を適用した場合について説明したが、本発明はこれに限定されるものではない。例えば、インクジェット方式の画像形成装置に本発明を適用してもよい。
【０１２６】
また、上記各実施の形態では、長尺な帯状の記録媒体として連続用紙Ｐを用いた場合について説明したが、本発明はこれに限定されるものではない。
【０１２７】
また、上記各実施の形態の構成は、適宜組み合わせて実施してもよく、本発明の主旨を逸脱しない範囲内において適宜変更可能であることは言うまでもない。
【０１２８】
また、上記各実施の形態に係る図４、図１２〜図１５、図２０、図２１に示したイジェクト処理プログラム及び図１１に示した排出指示時印刷画像情報判別処理プログラムは、ＲＯＭ７２予め記憶しておく形態の他、ＲＯＭ７２等の記憶素子に予め記憶しておく形態、ＨＤＤ（ハード・ディスク・ドライブ）等の記憶装置に記憶させる形態、ＣＤ−ＲＯＭやＤＶＤ−ＲＯＭ等のコンピュータで読み取れる記憶媒体に格納された状態で提供される形態、有線又は無線による通信手段を介して配信される形態等に適用してもよい。
【符号の説明】
【０１２９】
１０  画像形成装置
１２、１２Ａ、１２Ｂ  画像形成部
１６  格納部
６０  操作パネル
６８  制御部
７０  ＣＰＵ
８４  ネットワークＩ／Ｆ８４
【図１】
2011051280.tif 000003
【図２】
2011051280.tif 000004
【図３】
2011051280.tif 000005
【図４】
2011051280.tif 000006
【図５】
2011051280.tif 000007
【図６】
2011051280.tif 000008
【図７】
2011051280.tif 000009
【図８】
2011051280.tif 000010
【図９】
2011051280.tif 000011
【図１０】
2011051280.tif 000012
【図１１】
2011051280.tif 000013
【図１２】
2011051280.tif 000014
【図１３】
2011051280.tif 000015
【図１４】
2011051280.tif 000016
【図１５】
2011051280.tif 000017
【図１６】
2011051280.tif 000018
【図１７】
2011051280.tif 000019
【図１８】
2011051280.tif 000020
【図１９】
2011051280.tif 000021
【図２０】
2011051280.tif 000022
【図２１】
2011051280.tif 000023
【図２２】
2011051280.tif 000024
【図２３】
2011051280.tif 000025
【図２４】
2011051280.tif 000026
【図２５】
2011051280.tif 000027